(57)【要約】【課題】容易に施工することができる建材設置構造及び発光体付き建材を提供する。【解決手段】発光体付き建材１は、陶磁器製のタイル本体３と、該タイル本体３の裏面に設けられた２次コイル２と、タイル本体３の隣接する２側面にそれぞれ複数個ずつ設けられた発光体としてのＬＥＤ２と、２次コイル２とＬＥＤ６とを接続するリード線４，５とを有する。複数板の発光体付き建材１が、壁、床又は天井等を構成する、セメント板、耐水合板などよりなる下地板７の前面にタイル張り用接着剤８によって張り付けられ、発光体付き建材１同士の間に目地材９が充填される。下地板７の裏側には、規定の位置に１次コイル１０が設けられている。１次コイル１０に交流を通電すると、２次コイル２に誘導電流が発生し、この電流がＬＥＤ６に給電され、ＬＥＤ６が発光する。【選択図】図１
2006316457.tif 000002
【特許請求の範囲】
【請求項１】
板状の建材が下地板の表側に設置されており、該建材又は建材側辺に沿う目地に発光体が設けられている建材設置構造において、
該下地板の裏側に１次コイルが設けられ、下地板の表側に該１次コイルに対峙して２次コイルが設けられており、
該２次コイルから前記発光体に給電されるよう構成されていることを特徴とする建材設置構造。
【請求項２】
請求項１において、前記目地は少なくとも表面に光触媒を含んでおり、
前記発光体は紫外線を発するものであることを特徴とする建材設置構造。
【請求項３】
板状の建材本体と、
該建材本体の裏側に該建材本体と一体に設けられた誘導電流発生用の２次コイルと、
該建材本体と一体に設けられており、該２次コイルから給電可能とされている発光体と、
を備えてなる発光体付き建材。
【請求項４】
請求項３において、該発光体は該建材本体の側面に配置されていることを特徴とする発光体付き建材。
【発明の詳細な説明】
【技術分野】
【０００１】
本発明はタイル等の板状の建材及び建材設置構造に係り、特に発光体を設けた建材及び建材設置構造に関するものである。
【背景技術】
【０００２】
タイル壁の目地又はタイルそのものにＬＥＤを設けたＬＥＤ付きタイル及びタイル壁が特開２００１−１４０４３９号公報に記載されている。同号公報では、タイルの裏面にプリント配線を設け、このプリント配線を介してＬＥＤに給電するようにしている。
【特許文献１】特開２００１−１４０４３９号公報
【発明の開示】
【発明が解決しようとする課題】
【０００３】
上記特開２００１−１４０４３９号公報では、隣接するタイル裏面のプリント配線相互を導通させる必要があるため、タイル施工が相当に手間のかかるものとなる。
【０００４】
本発明は、容易に施工することができる建材設置構造及び発光体付き建材を提供することを目的とする。
【課題を解決するための手段】
【０００５】
請求項１の建材設置構造は、板状の建材が下地板の表側に設置されており、該建材又は建材側辺に沿う目地に発光体が設けられている建材設置構造において、該下地板の裏側に１次コイルが設けられ、下地板の表側に該１次コイルに対峙して２次コイルが設けられており、該２次コイルから前記発光体に給電されるよう構成されていることを特徴とするものである。
【０００６】
請求項２の建材設置構造は、請求項１において、前記目地は少なくとも表面に光触媒を含んでおり、前記発光体は紫外線を発するものであることを特徴とするものである。
【０００７】
請求項３の発光体付き建材は、板状の建材本体と、該建材本体の裏側に該建材本体と一体に設けられた誘導電流発生用の２次コイルと、該建材本体と一体に設けられており、該２次コイルから給電可能とされている発光体と、を備えてなるものである。
【０００８】
請求項４の発光体付き建材は、請求項３において、該発光体は該建材本体の側面に配置されていることを特徴とするものである。
【発明の効果】
【０００９】
請求項１の建材設置構造及び請求項３の発光体付き建材にあっては、２次コイルに発生する誘導電流が発光体に給電される。従って、この２次コイルに対峙するように１次コイルを設置すればよく、下地板の前面側に発光体への給電用電気配線を引き回すことが不要となる。
【００１０】
請求項２の建材設置構造によると、目地を殺菌、防カビすることができると共に、光触媒に紫外線を当てたときに発生する活性酸素により有機物を分解して防汚することも可能である。請求項４の建材によると、目地に発光体を容易に配置することができる。
【発明を実施するための最良の形態】
【００１１】
以下、図面を参照して実施の形態について説明する。図１は実施の形態に係る発光体付き建材の斜視図、図２は発光体付き建材の施工構造を示す断面図である。
【００１２】
この発光体付き建材１は、陶磁器製のタイル本体３と、該タイル本体３の裏面に設けられた２次コイル２と、タイル本体３の隣接する２側面にそれぞれ複数個ずつ設けられた発光体としてのＬＥＤ２と、２次コイル２とＬＥＤ６とを接続するリード線４，５とを有する。
【００１３】
タイル本体３は長方形又は正方形であり、その裏面の中央に２次コイル２が設けられている。２次コイル２をタイル本体３の裏面中央に設けたことにより、タイル本体３の向きを変えても２次コイル２が常にタイル本体３の裏面中央に位置することになり、後述の１次コイルと該２次コイル２とを同軸的に配置することが容易になる。
【００１４】
該２次コイル２とリード線４，５は、例えば導電塗料の焼き付け等によって形成することができるが、線材を接着剤で貼り付けることにより設けてもよい。２次コイル２とリード線４，５を耐水性を有した絶縁層で覆ってもよい。
【００１５】
ＬＥＤ６は、例えば接着剤によりタイル本体３の側面に接着される。なお、ＬＥＤ６を目地幅よりも細幅の細長い基板（図示略）に取り付け、この基板をタイル本体３に固着してもよい。
【００１６】
図２に示すように、複数枚の発光体付き建材１が、壁、床又は天井等を構成する、セメント板、耐水合板などよりなる下地板７の前面にタイル張り用接着剤８によって張り付けられ、発光体付き建材１同士の間に目地材９が充填される。
【００１７】
この下地板７の裏側には、規定の位置に１次コイル１０が設けられている。１次コイル１０は発光体付き建材１と同数個、発光体付き建材１の配置パターンと同パターンにて配置されている。図示は省略するが、下地板７の前面には、１次コイル１０の位置を示すマークや、発光体付き建材１の辺縁を沿わせるべき掛書き線などが設けられており、発光体付き建材１の張り付け作業時に各コイル２，１０を確実に同軸状に配置できるようになっている。
【００１８】
なお、この実施の形態では、目地材９は酸化チタン等の光触媒を含んでいる。ＬＥＤ６は紫外線を発光するものであり、その先端側が目地材９から露出するように目地詰めが行われている。
【００１９】
このように構成された発光体付き建材及びその施工構造にあっては、１次コイル１０に交流を通電すると、２次コイル２に誘導電流が発生し、この電流がＬＥＤ６に給電され、ＬＥＤ６が発光する。これにより、ＬＥＤ６からの紫外線が目地材９に当り、殺菌、防カビされ、また、目地材９に含まれる光触媒が励起して活性酸素が発生し、目地材９に付着した有機物が分解され、目地の防汚作用が生じる。
【００２０】
この発光体付き建材１は、タイル本体３と２次コイル２、配線４，５及びＬＥＤ６とがすべて一体になっており、施工時に下地板７の前面側に電気配線を施すことが不要であり、施工が容易である。
【００２１】
上記実施の形態では、ＬＥＤ６は紫外線を発光するものとなっているが、可視光を発光させ、壁などの装飾を図るようにしてもよい。
【００２２】
上記実施の形態ではタイル本体３に１個の２次コイル２を設けているが、２個以上の２次コイルを設けてもよい。
【００２３】
上記実施の形態では、タイル本体３の側面にＬＥＤを設けているが、タイル本体３の前面に凹部を設けたり、タイル本体３を厚み方向に貫通する貫通孔を設け、この凹部や貫通孔にＬＥＤを設けてもよい。
【００２４】
上記実施の形態ではＬＥＤを用いているが、有機ＥＬのような面状発光体を用いてもよい。
【００２５】
本発明では、下地板７の裏側に設けた１個の１次コイルが複数個の２次コイルに誘導電流を発生させるよう構成してもよい。
【図面の簡単な説明】
【００２６】
【図１】実施の形態に係る発光体付き建材の斜視図である。
【図２】発光体付き建材の施工構造を示す断面図である。
【符号の説明】
【００２７】
１  発光体付き建材
２  ２次コイル
３  タイル本体
４，５  配線
６  ＬＥＤ
７  下地板
８  接着剤
９  目地材
１０  １次コイル
【図１】
2006316457.tif 000003
【図２】
2006316457.tif 000004